(57)【要約】      （修正有）【課題】複数巻からなるレンタル用ＤＶＤのうちの４巻程度をまとめて収納して陳列する陳列用ケースを提供する。【解決手段】陳列用ケース２１は、ケース本体２と、ケース本体に背板を介して開閉自在に設けられる蓋体４と、陳列用ケースの開口部から取り出し自在に収納される４枚のＤＶＤ収納用の収納シート２２とからなる。収納シートは、基部シート材と、基部シート材の少なくとも表面側に設けられる透明シート材とが重畳して形成されると共に、見出し部２５と、見出し部の下部に連設されるＤＶＤの収納部２７と、収納部の下部に幅狭に連設される上げ底片２８とを備える。【選択図】図２
0003198927.tif 000002
【実用新案登録請求の範囲】
【請求項１】
複数巻からなるレンタル用ＤＶＤのうちの数巻をまとめて収納して陳列する陳列用ケースであって、
該陳列用ケースは、ケース本体と、該ケース本体に背板を介して開閉自在に設けられる蓋体と、当該陳列用ケースの開口部から取り出し自在に収納される複数枚のＤＶＤ収納用の収納シートとからなり、
該収納シートは、基部シート材と、該基部シート材の少なくとも表面側に設けられる透明シート材とが重畳して形成されると共に、見出し部と、該見出し部の下部に連設されるＤＶＤの収納部と、該収納部の下部に幅狭に連設される上げ底片とを有すること
を特徴とする陳列用ケース。
【請求項２】
陳列用ケースに収納される複数枚の前記収納シートは、それぞれの見出し部が重なり合わない位置関係にあること
を特徴とする請求項１に記載の陳列用ケース。
【考案の詳細な説明】
【技術分野】
【０００１】
本考案は、ドラマシリーズ等の複数巻からなるレンタル用ＤＶＤのうちの４巻程度をまとめて収納して陳列する陳列用ケースに関するものである。
【背景技術】
【０００２】
従来、レンタル用ＤＶＤは、図５から図７に示す構成の陳列用ケース１に１巻ずつ収納して陳列している。この陳列用ケース１は、ケース本体２と、ケース本体２にヒンジ部３ａ、３ｂ及び背板７を介して開閉自在に設けられる蓋体４とからなり、上部には横長の開口部５を有し、この開口部５の縁に沿って表示部６を備えた構成である（特許文献１参照）。
【０００３】
ケース本体２の側部には縦長の側板８が一体に設けられており、側板８の内側の所定位置には、係止凹部９が凹設されている。また、ケース本体２の下端には、横長の底板１０が一体に設けられている（図６参照）。底板１０の上方には一対の凸部１６が設けられており、凸部１６は収納されたＤＶＤケース１４を保持する役目を果たす（図７参照）。
【０００４】
蓋体４の側部には縦長の縁板１１が一体に設けられており、縁板１１の外側の所定位置には、係止リブ１２が凸設されている。また、蓋体４の下端には、横長の底板１３が一体に設けられている（図６参照）。
【０００５】
蓋体４を閉じてケース本体２を施蓋したときには、側板８の内側に縁板１１が収まると共に、係止リブ１２が係止凹部９に係止して蓋体４の施蓋状態を維持する。
【０００６】
表示部６は、「レンタル中」の文字が記載されており、ＤＶＤケース１４の収納時に隠れかつ非収納時に表れるようになっている。ＤＶＤケース１４にはＤＶＤ１５が収納される。
【０００７】
このような構成のレンタル用ＤＶＤの陳列用ケース１は、ＤＶＤケース１４を陳列用ケース１から取り出したときに「レンタル中」の文字が表れるので（図５参照）、その商品が貸し出されていることが一目で分かる仕組みである。
【先行技術文献】
【特許文献】
【０００８】
【特許文献１】特開２００２−５３１９３号公報
【考案の概要】
【考案が解決しようとする課題】
【０００９】
この従来例の陳列用ケース１においては、上述のように、レンタル用ＤＶＤを１巻ずつ収納して陳列するが、例えば、洋、邦、韓流等のドラマシリーズは、十数巻に渡る場合があり、これを１巻ずつ陳列用ケース１に収納して陳列棚に並べると、広い陳列スペースを占有することになる。
【００１０】
この場合、旧作品や人気の低い作品等のような貸出数が少ない作品では、広い陳列スペースを占有する割りには売上げが伸びないこととなり、収益を上げるうえで非常に効率が悪いという問題点を有している。
【００１１】
また、貸出数が少ない作品を陳列しない場合は、貸出し機会を喪失することとなってしまうので不都合がある。
【００１２】
従って、従来例における場合においては、レンタル用ＤＶＤの貸出数、つまり売上高に見合った陳列棚のスペースを占有させて、効率良く収益を上げることに解決しなければならない課題を有している。
【課題を解決するための手段】
【００１３】
前記従来例の課題を解決するための本考案の要旨は、複数巻からなるレンタル用ＤＶＤのうちの数巻をまとめて収納して陳列する陳列用ケースであって、該陳列用ケースは、ケース本体と、該ケース本体に背板を介して開閉自在に設けられる蓋体と、当該陳列用ケースの開口部から取り出し自在に収納される複数枚のＤＶＤ収納用の収納シートとからなり、該収納シートは、基部シート材と、該基部シート材の少なくとも表面側に設けられる透明シート材とが重畳して形成されると共に、見出し部と、該見出し部の下部に連設されるＤＶＤの収納部と、該収納部の下部に幅狭に連設される上げ底片とを有することである。
【００１４】
また、陳列用ケースに収納される複数枚の前記収納シートは、それぞれの見出し部が重なり合わない位置関係にあること、；
を含むものである。
【考案の効果】
【００１５】
本考案に係る陳列用ケースによれば、複数巻からなるレンタル用ＤＶＤのうちの４巻程度をまとめて収納して陳列できるので、例えば旧作品等のように貸出数が少ない作品の場合に都合が良く、通常の陳列スペースの４分の１程度の陳列スペースで全巻を陳列することができる。
従って、レンタル用ＤＶＤの貸出数、つまり売上高に見合った陳列棚のスペースを占有させて、効率良く収益を上げることができる。
また、収納シートの下部には、ケース本体の底板に当接させる上げ底片を有することによって、従来例で説明した陳列用ケース１に収納シートを収納できる。つまり、従来使用している既存の陳列用ケース１をそのまま転用できるので、別途の陳列用のケースを準備する必要がなく、その分のコストダウンを図ることができる。
さらに、上げ底片は収納部の下部に幅狭に連設されるので、従来のケース本体２に設けられている一対の凸部１６の間に上げ底片を納めることができる。この場合は陳列用ケースに収納される収納シートがバラ付かないで収納状態が安定するという優れた効果を奏する。
【００１６】
また、陳列用ケースに収納される複数枚の収納シートは、それぞれの見出し部が重なり合わない位置関係にあることによって、陳列用ケースに４枚の収納シートを収納したときに、それぞれのＤＶＤの巻の番号等が記載される見出し部を確実に視認できるという優れた効果を奏する。
【図面の簡単な説明】
【００１７】
【図１】本考案に係る陳列用ケース２１の正面図である。
【図２】本考案に係る陳列用ケース２１を開いた状態の正面図である。
【図３】収納シート２２の正面図である。
【図４】見出し部２５の位置関係を説明する４枚の収納シート２２の斜視図である。
【図５】従来例に係る陳列用ケース１の斜視図である。
【図６】従来例に係る陳列用ケース１を開いた状態の斜視図である。
【図７】従来例に係る陳列用ケース１にＤＶＤケース１４を収納した状態を蓋体４を開いて示した正面図である。
【考案を実施するための形態】
【００１８】
次に、本考案の実施の形態について図面を参照しながら詳細に説明する。なお、理解を容易にするために、従来例に対応する部分には従来例と同一の符号を付けて説明する。
【００１９】
まず、図１及び図２において、符号２１は陳列用ケースを示し、この陳列用ケース２１は、ケース本体２と、ケース本体２にヒンジ部３ａ、３ｂ及び背板７を介して開閉自在に設けられる蓋体４と、当該陳列用ケース２１の開口部５から取り出し自在に収納される複数枚（４枚程度）のＤＶＤ収納用の収納シート２２とから構成される。
【００２０】
なお、陳列用ケース２１のケース本体２及び蓋体４は、従来例で説明したものとほぼ同様な構造であるが、その構成についても再度説明する。
【００２１】
ケース本体２及び蓋体４は、プラスチックなどの合成樹脂材で一体に形成されて、適度な剛性と弾性とを有しており、その内部はＤＶＤ２６を納めた収納シート２２が、４枚程度収納できる大きさに形成されている。
【００２２】
蓋体４を閉じてケース本体２を施蓋した状態では、上部に横長の開口部５を有し、この開口部５の縁に沿って表示部６を備えている。表示部６には「レンタル中」の文字が記載されている（図１、図２、図５、図６参照）。
【００２３】
ケース本体２は、側部に縦長の側板８が一体に設けられており、側板８の内側の所定位置に係止凹部９が凹設されている（図６参照）。そして、ケース本体２の下端には、横長の底板１０が一体に設けられている。底板１０の上方には一対の凸部１６が設けられている。
【００２４】
蓋体４は、側部に縦長の縁板１１が一体に設けられており、縁板１１の外側の所定位置に係止リブ１２が凸設されている。また、蓋体４の下端には、横長の底板１３が一体に設けられている。
【００２５】
蓋体４を閉じてケース本体２を施蓋したときには、側板８の内側に縁板１１が収まると共に、係止リブ１２が係止凹部９に係止して蓋体４の施蓋状態を維持する。
【００２６】
収納シート２２は、図３に示すように、白色の基部シート材２３と、基部シート材２３の少なくとも表面側に設けられる透明シート材２４とが重畳して形成される。
【００２７】
また、収納シート２２は、上部に幅狭の見出し部２５が設けられており、見出し部２５の下部にＤＶＤ２６の収納部２７が設けられている。
【００２８】
収納部２７の上端部２７ａは透明シート材２４が開放されており、この上端部２７ａから基部シート材２３に沿わせてＤＶＤ２６を収納できる。また、収納部２７の両端部２７ｂは、蒸着などの手段で基部シート材２３と透明シート材２４とが接着されている。
【００２９】
収納部２７の下部には、やや幅狭の上げ底片２８が設けられている。この上げ底片２８の両端は垂直の両端部２８ｃを有しており、また、下端は水平の下端部２８ａを有している。
【００３０】
上げ底片２８の下端部２８ａをケース本体２の底板１０に当接させたときに、見出し部２５が開口部５から突出して表示部６を隠す仕組みになっている（図１及び図２参照）。
【００３１】
上げ底片２８は、一対の凸部１６の間に納まる構成になっており（図２参照）、この場合は陳列用ケース２１に収納される収納シート２２がバラ付かないで収納状態が安定するのである。
【００３２】
また、上げ底片２８の上部２８ｂで基部シート材２３と透明シート材２４との一部を接着しており、この上部２８ｂで、収納されたＤＶＤ２６を保持する。
【００３３】
陳列用ケース２１に収納される４枚の収納シート２２は、図４に示すように、それぞれの見出し部２５が重なり合わない位置関係になっている。従って、陳列用ケース２１に４枚の収納シート２２を収納したときに、それぞれのＤＶＤ２６の巻の番号等が記載される見出し部２５を確実に視認できる。
【００３４】
以上のように構成される陳列用ケース２１は、複数巻からなるレンタル用ＤＶＤのうちの４巻をまとめて収納して陳列できるので、通常の陳列スペースの４分の１程度の陳列スペースで全巻を陳列することができる。
従って、旧作品や人気の低い作品等のような貸出数が少ない作品の場合に都合が良く、レンタル用ＤＶＤの貸出数、つまり売上高に見合った陳列棚のスペースを占有させて、効率良く収益を上げることができる。
【００３５】
また、収納シート２２の下部には、ケース本体２の底板１０に当接させる上げ底片２８を有することによって、従来例で説明した陳列用ケース１に収納シート２２を収納できる。つまり、従来使用している既存の陳列用ケース１をそのまま転用できるので、別途の陳列用のケースを準備する必要がなく、その分のコストダウンを図ることができる。
【符号の説明】
【００３６】
１    陳列用ケース
２    ケース本体
３ａ、３ｂヒンジ部
４    蓋体
５    開口部
６    表示部
７    背板
８    側板
９    係止凹部
１０  底板
１１  縁板
１２  係止リブ
１３  底板
１４  ＤＶＤケース
１５  ＤＶＤ
１６  凸部
２１  陳列用ケース
２２  収納シート
２３  基部シート材
２４  透明シート材
２５  見出し部
２６  ＤＶＤ
２７  収納部
２７ａ上端部
２７ｂ両端部
２８  上げ底片
２８ａ下端部
２８ｂ上部
２８ｃ端部
【図１】
0003198927.tif 000003
【図２】
0003198927.tif 000004
【図３】
0003198927.tif 000005
【図４】
0003198927.tif 000006
【図５】
0003198927.tif 000007
【図６】
0003198927.tif 000008
【図７】
0003198927.tif 000009